(57)【特許請求の範囲】
【請求項１】
所定の日時に記憶手段に記憶されている音響データの再生を行うアラーム再生手段を有するアラーム時計において、
前記記憶手段に記憶される音響データのファイル名又はパス名を解析する解析手段と、
この解析手段の解析結果に基づいて前記アラーム再生手段が再生する音響データの選択及び前記所定の日時の設定を行う再生制御手段と、
を備えていることを特徴とするアラーム時計。
【請求項２】
前記解析手段は、
前記音響データのファイル名又はパス名に含まれる日にちを区分する日付区分情報を解析し、
前記再生制御手段は、
前記アラーム再生手段が音響データを再生する日にちに対応する前記日付区分情報を含んだ音響データを、当該アラーム再生手段が当該日にちに再生する音響データとして選択することを特徴とする請求項１記載のアラーム時計。
【請求項３】
前記日付区分情報は、月日、曜日、日にち、月の何れかを表わす情報であることを特徴とする請求項２記載のアラーム時計。
【請求項４】
前記解析手段は、
前記音響データのファイル名又はパス名に含まれる日時を表わす日時情報を解析し、
前記再生制御手段は、
前記日時情報に基づいて前記アラーム再生手段が音響データを再生する前記所定の日時を設定するとともに、当該日時情報を含んだ音響データを前記アラーム再生手段が当該日時に再生する音響データとして選択する
ことを特徴とする請求項１〜３の何れか一項に記載のアラーム時計。
【請求項５】
前記日時情報は、時刻のみ、時刻および月日、時刻および曜日、時刻および日にち、或いは、時刻および月を表わす情報であることを特徴とする請求項４記載のアラーム時計。
【請求項６】
前記音響データが記憶される前記記憶手段を挿抜可能に接続する接続手段を備えていることを特徴とする請求項１〜５の何れか一項に記載のアラーム時計。
【請求項７】
所定の情報端末と無線接続可能な無線通信手段を備え、
前記無線通信手段を介して前記情報端末から前記記憶手段へ音響データを書き込み可能に構成されていることを特徴とする請求項１〜６の何れか一項に記載のアラーム時計。
【発明の詳細な説明】
【技術分野】
【０００１】
この発明は、所定の日時に音響データを再生するアラーム時計に関する。
【背景技術】
【０００２】
以前より、音響データを記録したカード型メモリを装着することで、予め設定されたアラーム時刻にこの音響データの再生を行うアラーム時計が提案されている（例えば特許文献１を参照）。
【０００３】
また、このようなアラーム時計において、アラーム日時や再生する音響データの設定データが複数登録されたデータテーブルを、外部のパソコンからアラーム時計に書き込んで、何れの日時に何れの音響データを再生するのか設定できるようにした技術も提案されている（例えば特許文献２を参照）。
【先行技術文献】
【特許文献】
【０００４】
【特許文献１】特開２００２−２４３８７１号公報
【特許文献２】特開２００２−１３１４５７号公報
【発明の概要】
【発明が解決しようとする課題】
【０００５】
音響データの再生機能を有するアラーム時計においては、例えば、平日と土日とで異なる音響データが再生されるようにしたり、特定の日だけ特別の音響データが再生されるようにしたり、アラーム日時に応じて別々の音響データが再生されるようにしたり、様々な設定を可能とすることで興趣に富んだアラーム機能を提供できると考えられる。
【０００６】
しかしながら、アラーム時計において複雑な設定を行わせるには、音響データのファイル名等を表示できる比較的に画素数の多い表示パネルを設けなければならないといった課題や、複雑な設定を少ない操作ボタンで行わせることになるため、設定操作自体が難しくなり良好な操作性を付与しにくくなるという課題が生じる。
【０００７】
また、所定フォーマットの設定データを外部から書き込んでアラーム設定を行う方式では、１つのアラーム設定を追加したい場合でも、複数のアラーム設定の情報が一括的に登録されている設定データをまとめて編集してなおさなければならないといった課題や、設定データのフォーマットを扱えるような汎用コンピュータでしかアラーム設定の編集を行えないなどの課題がある。
【０００８】
この発明の目的は、所定の日時に音響データを再生させるアラーム時計において、容易に様々なアラーム設定を行えるようにすることにある。
【課題を解決するための手段】
【０００９】
上記目的を達成するため、請求項１記載の発明は、
所定の日時に記憶手段に記憶されている音響データの再生を行うアラーム再生手段を有するアラーム時計において、
前記記憶手段に記憶される音響データのファイル名又はパス名を解析する解析手段と、
この解析手段の解析結果に基づいて前記アラーム再生手段が再生する音響データの選択及び前記所定の日時の設定を行う再生制御手段と、
を備えていることを特徴としている。
【００１０】
請求項２記載の発明は、請求項１記載のアラーム時計において、
前記解析手段は、
前記音響データのファイル名又はパス名に含まれる日にちを区分する日付区分情報を解析し、
前記再生制御手段は、
前記アラーム再生手段が音響データを再生する日にちに対応する前記日付区分情報を含んだ音響データを、当該アラーム再生手段が当該日にちに再生する音響データとして選択することを特徴としている。
【００１１】
請求項３記載の発明は、請求項２記載のアラーム時計において、
前記日付区分情報は、月日、曜日、日にち、月の何れかを表わす情報であることを特徴としている。
【００１２】
請求項４記載の発明は、請求項１〜３の何れか一項に記載のアラーム時計において、
前記解析手段は、
前記音響データのファイル名又はパス名に含まれる日時を表わす日時情報を解析し、
前記再生制御手段は、
前記日時情報に基づいて前記アラーム再生手段が音響データを再生する前記所定の日時を設定するとともに、当該日時情報を含んだ音響データを前記アラーム再生手段が当該日時に再生する音響データとして選択する
ことを特徴としている。
【００１３】
請求項５記載の発明は、請求項４記載のアラーム時計において、
前記日時情報は、時刻のみ、時刻および月日、時刻および曜日、時刻および日にち、或いは、時刻および月を表わす情報であることを特徴としている。
【００１４】
請求項６記載の発明は、請求項１〜５の何れか一項に記載のアラーム時計において、
前記音響データが記憶される前記記憶手段を挿抜可能に接続する接続手段を備えていることを特徴としている。
【００１５】
請求項７記載の発明は、請求項１〜６の何れか一項に記載のアラーム時計において、
所定の情報端末と無線接続可能な無線通信手段を備え、
前記無線通信手段を介して前記情報端末から前記記憶手段へ音響データを書き込み可能に構成されていることを特徴としている。
【発明の効果】
【００１６】
本発明に従うと、音響データのファイル名又はパス名にアラーム再生に関する設定情報を記しておくことで、この情報が解析されて、この情報に従ってアラーム再生手段の再生処理が行われることになる。従って、ユーザは、様々な情報端末により扱うことのできる音響データのファイル名やパス名の編集を行って、容易に様々なアラーム再生の設定を行うことができる。
【図面の簡単な説明】
【００１７】
【図１】本発明の実施形態のアラーム時計を含んだシステム構成の一例を示す図である。
【図２】アラーム時計の内部構成を示すブロック図である。
【図３】音響データのファイル名とアラーム設定内容の一例を説明する図である。
【図４】データコントロール用ＣＰＵにより実行される音響データ受信時の処理の制御手順を示すフローチャートである。
【図５】データコントロール用ＣＰＵにより実行されるアラーム再生処理の制御手順を示すフローチャートである。
【図６】図５のステップＳ１３の＄付き音響データ比較処理の詳細な制御手順を示すフローチャートである。
【発明を実施するための形態】
【００１８】
以下、本発明の実施の形態を図面に基づいて説明する。
【００１９】
図１は、本発明の実施形態のアラーム時計１０を含んだシステム構成の一例を示す図である。
【００２０】
この実施の形態のアラーム時計１０は、ユーザにより設定されたアラーム時刻やアラーム日時にアラームを発生させる時計であり、さらに、音響データを記録した記憶手段としてのメモリカード３０（図２参照）をスロット２５ａに挿入しておくことで、このメモリカード３０に記録されている音響データをアラームとして再生する機能を有するものである。
【００２１】
また、このアラーム時計１０は、例えばブルートゥース（Bluetooth：登録商標）通信により所定の情報端末である携帯電話４０とデータ通信可能にされ、携帯電話４０からアラーム時計１０へ音響データを転送してメモリカード３０に記録させることが可能になっている。ユーザは、音響データを転送する際に、携帯電話４０の表示部４５を見ながら操作キー４４を操作して音響データのファイル名を自由に編集することができる。
【００２２】
図２には、アラーム時計１０の内部構成を示すブロック図を示す。
【００２３】
アラーム時計１０は、図２に示すように、主に時計機能の制御を行う時計用ＣＰＵ（中央演算処理装置）１１と、このＣＰＵ１１が実行する制御プログラムや制御データが格納されたＲＯＭ（Read Only Memory）１２と、ＣＰＵ１１に作業用のメモリ空間を提供するＲＡＭ（Random Access Memory）１３と、ユーザの操作入力を受ける操作キー１４と、時刻データを含んだ標準電波を受信する標準電波受信部１５と、日付や曜日を表示する液晶表示部（ＬＣＤ）１６と、モーターにより指針２〜４（図１参照）を駆動して時刻を表示するアナログ指針表示部１７と、現在時刻を計数する計時部１８を備えている。
【００２４】
さらに、このアラーム時計１０は、音響データ等のデータ制御を行うデータコントロール用ＣＰＵ２１と、このＣＰＵ２１が実行する制御プログラムや制御データが格納されたＲＯＭ（Read Only Memory）２２と、ＣＰＵ２１に作業用のメモリ空間を提供するＲＡＭ２３と、例えばブルートゥース通信などアンテナＡＮを介して短距離無線通信の処理を行う無線通信手段としての無線通信部２４と、メモリカード３０をＣＰＵ２１によりデータ読み書き可能に接続する接続手段としてのソケット２５と、音響データのデコード処理を行う音響データデコード部２６と、音響出力を行うアンプ及びスピーカー２７等を備えている。
【００２５】
ＲＡＭ１３には、アラームの発生を行うアラーム日時を表わすアラーム日時データの記憶領域１３ａが設けられている。この記憶領域１３ａには、複数のアラーム日時データが登録可能になっている。
【００２６】
アラーム日時データとしては、時刻のみが指定されたデータ、曜日と時刻が指定されたデータ、日にちと時刻が指定されたデータ、月日と時刻が指定されたデータ、月と時刻を指定したデータなどが登録可能になっている。
【００２７】
ＲＯＭ１２には、計時部１８の計時時刻と同期させてアナログ指針表示部１７のモーターを駆動したり液晶表示部１６の月日と曜日の表示を切り替えたりする日時表示処理のプログラム、操作キー１４からの操作信号を入力してアラーム日時の設定入力を行う設定入力処理のプログラム、計時部１８の計時時刻を監視して記憶領域１３ａに登録されたアラーム日時データの日時になった場合にアラームを発生させるためにアラーム指令と現在の日時データとをデータコントロール用ＣＰＵ２１へ出力するアラーム処理のプログラム等が格納されている。
【００２８】
時計用ＣＰＵ１１は、ＲＯＭ１２に格納された上記のプログラムをそれぞれ実行することで、日時表示処理、アラーム日時の設定入力処理、および、アラーム処理を履行する。
【００２９】
もう一方のＲＯＭ２２には、メモリカード３０に対してデータファイルを読み書きするファイル操作処理のプログラム、無線通信部２４を介して通信データの入出力を行う通信処理のプログラム、無線通信により音響データが転送されてきたときに所定の処理を実行する音響データ受信時処理のプログラム、および、時計用ＣＰＵ１１からアラーム指令を受けた場合に所定の処理を実行するアラーム再生制御処理のプログラム等が格納されている。このうち、アラーム再生制御処理のプログラムとこれを実行するＣＰＵ２１により再生制御手段の一部が構成される。
【００３０】
図３には、メモリカード３０に記録される音響データのファイル名とアラーム設定内容の一例を表わした説明図を示す。
【００３１】
メモリカード３０には、複数の音響データがそれぞれ個々のデータファイルとして記録可能になっている。そして、音響データを記録したメモリカード３０をアラーム時計１０のスロット２５ａに挿入（ソケット２５に接続）しておくことで、アラーム日時に１つの音響データが選択されてアラームとして再生されるようになっている。アラームとして再生される音響データは、次に示すように、音響データのファイル名に基づいて選択され、また、音響データのファイル名によりアラーム日時を設定することが可能になっている。
【００３２】
アラームとして再生される音響データの選択は、ファイル名に含まれる日にちを区分する日付区分情報に基づいて行われる。日付区分情報を有する音響データのファイル名は、図３の上から４つのファイル名に示すように、その先頭の「＃」の文字により識別可能にされる。
【００３３】
例えば、図３の上１番目のファイル名「＃１２２９．ｍｐ３」のように、「＃」に続いて４桁の数字が記されていれば、４桁の数字が表わす月日が日付区分情報となり、毎年該当の月日のアラーム時刻にこの音響データが再生される候補となる。
【００３４】
また、図３の上から２番目のファイル名「＃ｓｕｎ．ｍｐ３」のように、「＃」に続いて曜日が記されていれば、この曜日が日付区分情報となり、毎週の該当曜日のアラーム時刻にこの音響データが再生される候補となる。
【００３５】
また、図３の上から３番目のファイル名「＃２０ｄ．ｍｐ３」のように、「＃」に続いて「１〜３１」の数字と「ｄ」の日にちの記号とが記されていれば、この数字の日にちが日付区分情報となり、毎月の該当日のアラーム時刻にこの音響データが再生される候補となる。
【００３６】
また、図３の上から４番目のファイル名「＃５ｍ．ｍｐ３」のように、「＃」に続いて「１〜１２」の数字と「ｍ」の月の記号とが記されていれば、この数字の月が日付区分情報となり、毎年の該当月のアラーム時刻にこの音響データが再生される候補となる。
【００３７】
なお、上記のような日付区分情報は、日にちを区分する範囲が、互いに重なる場合がある。例えば、１２月２９日が日曜日であれば、この日は、図３の上１番目と２番目のファイル名の日付区分情報の範囲にそれぞれ含まれる。従って、このように日にちが複数の日付区分情報の範囲に含まれる場合には、対応する日付区分情報を有する複数の音響データの中から、予め定められた優先順序に従って１つの音響データがアラーム再生用に選択されるようになっている。
【００３８】
この優先順序は、高い方から、月日の日付区分情報、曜日の日付区分情報、日にちの日付区分情報、月の日付区分情報の順に定められている。
【００３９】
ファイル名によるアラーム日時の設定は、先ず、図３の下３個のファイル名に示すように、「＄」の文字とそれに続く４桁の数字をファイル名に含ませておくことで、この４桁の数字によりアラーム時刻が表わされる。
【００４０】
さらに、図３の下２個のファイル名に示すように、上記の「＄」と数字４桁の文字に加えて、「＆」付きの文字が含まれる場合には、「＆」に続く文字により、月日、曜日、日にち、或いは月の情報をアラーム日時の設定情報（日時情報）に追加できるようになっている。例えば「＆５ｄ＄１０１０」で「毎月５日１０時１０分」のアラーム日時を表わし、「＆４ｍ＄１０１０」で「毎年４月の１０時１０分」のアラーム日時を表わす。
【００４１】
次に、上記のアラーム時計１０のアラームに関する動作の説明を行う。
【００４２】
［音響データ受信時処理］
先ず、携帯電話機４０から無線通信により音響データをメモリカード３０へ書き込む際に実行される処理について説明する。
【００４３】
図４には、データコントロール用ＣＰＵ２１により実行される音響データ受信時処理のフローチャートを示す。
【００４４】
携帯電話機４０からデータ転送の要求があって音響データが送信されてくると、データコントロール用ＣＰＵ２１は、無線通信部２４を介して音響データを受信してメモリカード３０へ書き込んでいく（ステップＳ１）。音響データを書き込んだら、次いで、この音声データのファイル名を確認して、「＄」の文字が含まれているか判別する（ステップＳ２：解析手段）。
【００４５】
その結果、「＄」の文字が含まれていなければ、このファイル名にアラーム日時の設定情報は無いと判断して、このまま音響データ受信時の処理を終了する。
【００４６】
一方、「＄」の文字が含まれていれば、「＄」に続く４個の数字を抽出してアラーム日時の時刻とし、さらに、「＆」に続く文字があれば、この文字を抽出してアラーム日時の月日、曜日、日、或いは月として、アラームを発生させる日時を表わすアラーム日時データに変換する（ステップＳ３：解析手段）。そして、このアラーム日時データを、時計用ＣＰＵ１１を介して、ＲＡＭ１３の記憶領域１３ａに書き込む（ステップＳ４：再生制御手段）。そして、この音響データ受信時の処理を終了する。
【００４７】
つまり、上記の音響データ受信時の処理により、ファイル名にアラーム日時の設定情報が含まれる音響データが転送されてきた場合に、このアラーム日時データの設定登録が自動的に行われるようになっている。
【００４８】
［アラーム再生制御処理］
次に、アラーム日時にアラームを発生させる処理について説明する。
【００４９】
図５には、データコントロール用ＣＰＵ２１により実行されるアラーム再生制御処理のフローチャートを示す。
【００５０】
このアラーム再生制御処理は、時計用ＣＰＵ１１からデータコントロール用ＣＰＵ２１へアラーム指令と現在の日時データとが送られて開始される。アラーム指令は、計時部１８の計時時刻と、設定されているアラーム日時（記憶領域１３ａのアラーム日時データが表わす日時）とが合致した際に送られてくる。
【００５１】
アラーム再生制御処理が開始されると、先ず、ＣＰＵ２１は、メモリカード３０に記録されているデータを確認して再生可能な形式の音響データの有無を判別する（ステップＳ１１）。その結果、再生可能な音響データが無ければ、ＣＰＵ２１は、ＲＯＭ２２に格納されているデフォルトのアラーム音データを音響データデコード部２６に送ってアンプ＆スピーカー２７から音声出力させる（ステップＳ１２：アラーム再生手段）。そして、アラーム再生制御処理を終了する。
【００５２】
一方、再生可能な音響データが有れば、ＣＰＵ２１は、先ず、＄付き音響データ比較処理（ステップＳ１３）を実行して、現在の日時と合致するアラーム日時の設定情報がファイル名に含まれている音響データを検索する。そして、このような音響データが選択されたか否かを判別し（ステップＳ１４）、合致した音響データが選択されていれば、この選択された音響データをアラームとして再生する（ステップＳ１５：アラーム再生手段）。その後、このアラーム再生制御処理を終了する。
【００５３】
一方、ステップＳ１４の判別処理で、合致した音響データが無いと判別されたら、次に、ＣＰＵ２１は、ファイル名に現在日時に合致する日付区分情報を含んだ音響データがないか検索する一連の処理（ステップＳ１６〜Ｓ２６）へ移行する。
【００５４】
この一連の処理へ移行すると、先ず、ＣＰＵ２１は、メモリカード３０に記録されている複数の音響データの中からファイル名が「＃」で始まる音響データを優先順に１つずつ選択する処理を実行する（ステップＳ１６）。この選択処理では、処理ループにより複数回繰り返し実行される場合に、以前に選択された音響データが除外されて別の音響データが優先順に逐次選択されていく。音響データの選択順は、優先度の高い方から、「＃」と数字４桁が記されたデータファイル、「＃」と曜日が記されたデータファイル、「＃」と「１〜３１」の数字と「ｄ」とが記されたデータファイル、「＃」と「１〜１２」の数字と「ｍ」とが記されたデータファイルの順である。
【００５５】
音響データの選択処理を行ったら、次に、ＣＰＵ２１は、「＃」で始まる音響データの選択が終了していて、新たに選択する音響データがもう無い状態であるか否かの判別を行う（ステップＳ１７）。
【００５６】
ステップＳ１６の選択処理で、「＃」でファイル名が始まる音響データが選択されている場合、ステップＳ１７の判別処理で選択終了でないと判別されるので、続いて、この音響データが現在の日時に対応する日付区分情報を有するものであるか否かを判別する一連の処理（ステップＳ１９〜Ｓ２６：解析手段）へ移行する。
【００５７】
すなわち、先ず、選択された音響データのファイル名が「“＃”＋数字４桁」の形式であるか判別し（ステップＳ１９）、この形式であれば、この数字４桁を月日として現在の日時データと一致するか判別する（ステップＳ２０）。
【００５８】
また、ステップＳ１９で該当の形式でないと判別されたら、次に、ＣＰＵ２１は、選択された音響データのファイル名が「“＃”＋曜日」の形式であるか判別し（ステップＳ２１）、この形式であれば、ファイル名の曜日と現在の曜日とが一致するか判別する（ステップＳ２２）。
【００５９】
また、ステップＳ２１で該当の形式でないと判別されたら、次に、ＣＰＵ２１は、選択された音響データのファイル名が「“＃”＋１〜３１の数字＋“ｄ”」の形式であるか判別し（ステップＳ２３）、この形式であれば、この数字を日にちとして現在の日にちと一致するか判別する（ステップＳ２４）。
【００６０】
また、ステップＳ２３で該当の形式でないと判別されたら、次に、ＣＰＵ２１は、選択された音響データのファイル名が「“＃”＋１〜１２の数字＋“ｍ”」の形式であるか判別し（ステップＳ２５）、この形式であれば、この数字を月として現在の月と一致するか判別する（ステップＳ２６）。
【００６１】
その結果、上記のステップＳ２０，Ｓ２２，Ｓ２４，Ｓ２６の判別処理の何れかで一致と判別されたら、選択されている音響データをアラームとして再生する（ステップＳ１５）。そして、このアラーム再生制御処理を終了する。
【００６２】
一方、上記のステップＳ２０，Ｓ２２，Ｓ２４，Ｓ２６の判別処理の何れかで不一致と判別されたら、ステップＳ１６に戻って、再び、音響データの選択処理から繰り返す。また、ステップＳ２５の判別処理で該当の形式でないと判別されたら、ステップＳ１６に戻って、再び、音響データの選択処理から繰り返す。
【００６３】
つまり、上記のステップＳ１９〜Ｓ２６、Ｓ１５の処理により、現在のアラーム日時に合致する日付区分情報をファイル名に含んだ音響データがあれば、この音響データがアラームとして再生される。また、ステップＳ１６の選択処理で所定の優先順に「＃」付きの音響データが選択されていくことで、現在のアラーム日時と合致する日付区分情報を有する音響データが複数ある場合でも、優先順序の高い方の音響データがアラームとして再生されるようになっている。
【００６４】
他方、ファイル名が「＃」で始まる全ての音響データが選択されても、ステップＳ２０，Ｓ２２，Ｓ２４，Ｓ２６の判別処理で一致と判別されなければ、次の繰り返し処理のステップＳ１７の判別処理で選択終了と判別される。この場合、現在のアラーム日時に合致する日付区分情報を含んだ音響データがないと判断できるので、「＃」や「＄」をファイル名に含まない音響データをアラームとして再生する（ステップＳ１８：アラーム再生手段）。そして、このアラーム再生制御処理を終了する。
【００６５】
図６には、図５のステップＳ１３の＄付き音響データ比較処理の詳細なフローチャートを示す。
【００６６】
このＳ付き音響データ比較処理は、メモリカード３０に記録されている複数の音響データの中から、現在のアラーム日時の設定情報がファイル名に含まれる音響データを検索する処理である。
【００６７】
このＳ付き音響データ比較処理へ移行すると、先ず、ＣＰＵ２１は、メモリカード３０に記録されている複数の音響データの中から、ファイル名に「＄」を含んだ音響データを優先順に１つずつ選択する処理を実行する（ステップＳ３１）。この選択処理では、処理ループにより複数回実行される場合に、以前に選択された音響データが除外されて別の音響データが逐次選択されていく。音響データの選択順は、優先度の高い方から、アラーム時刻と月日を指定する設定情報が含まれるもの、アラーム時刻と曜日を指定する設定情報が含まれるもの、アラーム時刻と日にちを指定する設定情報が含まれるもの、アラーム時刻と月を指定する設定情報が含まれるものといった順である。
【００６８】
音響データの選択処理を行ったら、次に、ＣＰＵ２１は、「＄」をファイル名に含んだ全ての音響データの選択を終えていて、新たに選択する音響データがもう無い状態であるか否かの判別を行う（ステップＳ３２）。
【００６９】
ステップＳ３１の選択処理で、「＄」を含んだ音響データが選択されている場合、ステップＳ３２で選択終了でないと判別されるので、続いて、ＣＰＵ２１は、この音響データのアラーム日時の設定情報を解析し、現在の日時と一致するか判別する（ステップＳ３３：解析手段）。
【００７０】
その結果、一致と判別されれば、一致した音響データの情報を保持したまま、この＄付き音響データ比較処理を終了する。そして、図５の次のステップＳ１４へ移行する。一方、不一致であれば、ステップＳ３１に戻って、音響データの選択処理から繰り返す。
【００７１】
また、「＄」を含んだ音響データの全てを選択して、これら全ての音響データに対してステップＳ３３で一致と判別されなければ、繰り返し処理の次のステップＳ３２の判別処理で選択終了と判別される。この場合、一致した音響データは無しという情報を保持したまま、この＄付き音響データ比較処理を終了する。そして、図５の次のステップＳ１４へ移行する。
【００７２】
つまり、上記のアラーム再生制御処理（図５）や＄付き音響データ比較処理（図６）によって、アラーム指令に基づきデータコントロール用ＣＰＵ２１がアラームを発生させる際に、現在のアラーム日時に対応するアラーム日時の設定情報又は日付区分情報がファイル名に含まれる音響データが検索されて、このような音響データが有れば、この音響データがアラームとして再生されるようになっている。
【００７３】
以上のように、この実施形態のアラーム時計１０によれば、音響データのファイル名を解析してアラーム日時の設定が行われたり、アラーム発生時に再生される音響データの選択が行われたりするので、アラーム時計１０においてバリエーション豊富なアラーム動作を実現できるとともに、バリエーション豊富なアラーム動作の設定を音響データのファイル名の編集により容易に実現することができる。
【００７４】
具体的には、音響データのファイル名に日付区分情報を含めておくことで、この日付区分情報に合致する日のアラーム時刻に、この音響データが選択されてアラームとして再生されるようになっている。従って、月日ごと、曜日ごと、月ごと、日にちごとなどに、異なる音響データをアラームとして再生させるような設定を、音響データのファイル名に適宜な日付区分情報を含めておくことで容易に実現することができる。
【００７５】
また、日付区分情報は、月日、曜日、日にち、月をそれぞれ表わせる形式になっているので、様々な日にちの区分けを行って区分けごとに異なる音響データをアラーム再生させる設定を容易に実現できる。なお、日付区分情報として、平日と休日をそれぞれ区分できる形式を導入しても良い。また、１つの日付区分情報に複数の曜日や複数の日にちを含めることのできる形式としても良い。
【００７６】
さらに、この実施形態のアラーム時計１０によれば、音響データのファイル名にアラーム日時の設定情報を含めておくことで、この日時がアラーム日時として設定されるとともに、この日時に当該音響データが再生されるようになっている。従って、任意のアラーム日時に指定の音響データを再生させるような設定を、音響データのファイル名の編集により容易に実現することができる。
【００７７】
また、アラーム日時の設定情報は、時刻のみ、時刻および月日、時刻および曜日、時刻および日にち、時刻および月をそれぞれ表わせる形式になっている。従って、アラームを発生させる日にちごとに異なる音響データをアラームとして再生させるような設定を、音響データのファイル名の編集により容易に実現することができる。
【００７８】
また、この実施形態のアラーム時計１０によれば、音響データを記録するメモリカード３０が挿抜可能な構成になっているので、メモリカードを抜いて他の情報端末で音響データの書き込みやファイル名の編集を行って、上記のような様々なアラーム設定を行うことができる。
【００７９】
また、この実施形態のアラーム時計１０によれば、無線通信により携帯電話機４０から音響データを転送してメモリカード３０に記録できるようになっている。従って、携帯電話機４０で音響データのファイル名を編集して、アラーム時計１０に転送することで、この音響データをアラームとして再生させるようなアラーム設定を容易に実現できる。
【００８０】
なお、本発明は、上記実施の形態に限られるものではなく、様々な変更が可能である。例えば、上記実施形態では、ユーザが設定したアラーム時刻にアラームを発生させるアラーム機能に音響データの再生やファイル名を利用した設定機能を適用した例を示したが、予め定められた時刻にアラームを発生させる時報機能に音響データの再生やファイル名を利用した音響データの選択機能を適用しても良い。
【００８１】
また、上記実施の形態では、音響データが無線通信を介してメモリカード３０に書き込まれる際に、ファイル名の解析と、ファイル名にアラーム日時の設定情報が含まれている場合に、この設定情報に基づくアラーム日時の設定とを行う構成を示したが、メモリカード３０が抜き挿しされた際に音響データが更新されていないか確認し、更新されている場合に、更新された音響データに対して同様の処理を行うようにしても良い。
【００８２】
また、上記実施の形態では、ファイル名に日付区分情報やアラーム日時の設定情報を含めて、これらを解析させる構成としているが、パス名（ディレクトリ又はデータフォルダの名称を含めたもの）に上記の情報を含めて、これらを解析させる構成としても良い。
【００８３】
また、メモリカードは内蔵で固定のものとし、外部の情報端末と有線接続して音響データを書き込めるように構成しても良い。その他、実施形態で示した細部構成および細部方式は、発明の趣旨を逸脱しない範囲で適宜変更可能である。
【符号の説明】
【００８４】
１０      アラーム時計
１１      時計用ＣＰＵ
１２      ＲＯＭ
１３      ＲＡＭ
１３ａ    アラーム日時データ
１８      計時部
２１      データコントロール用ＣＰＵ
２２      ＲＯＭ
２３      ＲＡＭ
２４      無線通信部
２５      ソケット
２６      音響データデコード部
２７      アンプ＆スピーカー
３０      メモリカード
【図１】
0005648470.tif 000002
【図２】
0005648470.tif 000003
【図３】
0005648470.tif 000004
【図４】
0005648470.tif 000005
【図５】
0005648470.tif 000006
【図６】
0005648470.tif 000007